【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
ネットワーク化されたシステムにおけるオンライン課金ノードの非応答性に適応する方法であって、
加入者から要求を受け取るステップと、
オンライン課金ノードが非応答であることを識別するステップと、
デフォルトクォータを前記加入者に割り当てるステップであって、
前記デフォルトクォータが、前記オンライン課金ノード以外のエンティティによって割り当てられ、前記オンライン課金ノードが非応答であり、
前記デフォルトクォータが、前記加入者に対するサービス使用量閾値を定義する、
ステップと、
前記デフォルトクォータに基づいてサービスを前記加入者に提供するステップであって、
前記サービスと関連付けられた使用量を追跡することを含む、
ステップと、
前記オンライン課金ノードが応答するようになったことを識別するステップと、
前記サービスと関連付けられた前記使用量を前記オンライン課金ノードと照合して調整するステップであって、
前記サービスと関連付けられた前記追跡された使用量または前記デフォルトクォータの１つ以上を前記オンライン課金ノードに報告することを含む、
ステップと、
を含む、方法。
【請求項２】
前記オンライン課金ノードが、オンライン課金サーバ（ＯＣＳ）を備える、請求項１に記載の方法。
【請求項３】
前記識別するステップおよび前記割り当てるステップが、課金実施ノードによって行われ、前記オンライン課金ノードが、管理メッセージを前記課金実施ノードに提供するように構成される、請求項１に記載の方法。
【請求項４】
前記課金実施ノードが、パケットゲートウェイ（ＰＧＷ）を備える、請求項３に記載の方法。
【請求項５】
前記課金実施ノードが、ゲートウェイＧＰＲＳサポートノード（ＧＧＳＮ）を備える、請求項３に記載の方法。
【請求項６】
前記オンライン課金ノードが非応答であることを識別する前記ステップが、前記オンライン課金ノードからのハートビートの欠如を検出することを含む、請求項１に記載の方法。
【請求項７】
前記オンライン課金ノードが非応答であることを識別する前記ステップが、前記オンライン課金ノードへの要求のタイムアウトを識別することを含む、請求項１に記載の方法。
【請求項８】
前記デフォルトクォータを前記加入者に対するセッションに割り当てるステップを更に含む、請求項１に記載の方法。
【請求項９】
前記デフォルトクォータを少なくとも１つの追加のセッションに割り当てるステップを更に含む、請求項８に記載の方法。
【請求項１０】
ネットワーク化されたシステムにおけるオンライン課金ノードの非応答性に適応する方法であって、
加入者からサービスに対する要求を受け取るステップと、
前記加入者に対するセッションを開始するためのメッセージをオンライン課金ノードに送信するステップと、
前記オンライン課金ノードが非応答であることを識別するステップと、
デフォルトクォータを前記加入者に割り当てるステップであって、
前記デフォルトクォータが、前記オンライン課金ノード以外のエンティティによって割り当てられ、前記オンライン課金ノードが非応答であり、
前記デフォルトクォータが、前記加入者に対するサービス使用量閾値を定義する、
ステップと、
前記デフォルトクォータに基づいてサービスを前記加入者に提供するステップであって、
前記サービスと関連付けられた使用量を追跡することを含む、
ステップと、
前記オンライン課金ノードが応答するようになったことを識別するステップと、
前記サービスと関連付けられた前記使用量を前記オンライン課金ノードと照合して調整するステップであって、
前記デフォルトクォータを前記オンライン課金ノードに報告することを含む、
ステップと、
を含む、方法。
【請求項１１】
前記オンライン課金ノードが、オンライン課金サーバ（ＯＣＳ）を備える、請求項１０に記載の方法。
【請求項１２】
前記送信するステップ、前記識別するステップ、および前記割り当てるステップが、課金実施ノードによって行われ、前記オンライン課金ノードが、管理メッセージを前記課金実施ノードに提供するように構成される、請求項１０に記載の方法。
【請求項１３】
前記課金実施ノードが、パケットゲートウェイ（ＰＧＷ）を備える、請求項１２に記載の方法。
【請求項１４】
前記課金実施ノードが、ゲートウェイＧＰＲＳサポートノード（ＧＧＳＮ）を備える、請求項１２に記載の方法。
【請求項１５】
前記オンライン課金ノードが非応答であることを識別する前記ステップが、前記オンライン課金ノードからのハートビートの欠如を検出することを含む、請求項１０に記載の方法。
【請求項１６】
前記オンライン課金ノードが非応答であることを識別する前記ステップが、管理メッセージが所定の時間内に受け取られなかったことを識別することによって、前記オンライン課金ノードのタイムアウトを識別することを含む、請求項１０に記載の方法。
【請求項１７】
前記デフォルトクォータを前記加入者に対するセッションに割り当てるステップを更に含む、請求項１０に記載の方法。
【請求項１８】
前記デフォルトクォータを少なくとも１つの追加のセッションに割り当てるステップを更に含む、請求項１７に記載の方法。
【請求項１９】
オンライン課金ノードの非応答性に適応するように構成されるシステムであって、
１つ以上のプロセッサと、
前記１つ以上のプロセッサと電気的に通信するメモリと、
前記メモリに格納される命令であって、
加入者からサービスに対する要求を受け取ることと、
前記加入者に対するセッションを開始するために、メッセージを前記オンライン課金ノードに送信することと、
前記オンライン課金ノードから管理メッセージを受け取ることと、
前記管理メッセージに基づいて、サービスを前記加入者に提供することと、
前記オンライン課金ノードが非応答であることを識別することと、
前記加入者に関連付けられるアクセスポイント名（ＡＰＮ）と少なくとも１つのポリシーおよび課金ルール機能（ＰＣＲＦ）とを決定することと、
デフォルトクォータを前記加入者に割り当てることであって、
前記デフォルトクォータが、前記オンライン課金ノード以外のエンティティによって割り当てられ、前記オンライン課金ノードが非応答であり、
前記デフォルトクォータが、前記ＡＰＮと前記少なくとも１つのＰＣＲＦとに少なくとも部分的に基づいて割り当てられ
前記デフォルトクォータが、前記加入者に対するサービス使用量閾値を定義する
ことと、
前記デフォルトクォータに基づいて、継続されたサービスを前記加入者に提供することであって、前記サービスと関連付けられた使用量を追跡することを含むことと、
前記オンライン課金ノードが応答するようになったことを識別することと、
前記サービスと関連付けられた前記使用量を前記オンライン課金ノードと照合して調整することであって、前記デフォルトクォータを前記オンライン課金ノードに報告することを含むことと、
が前記１つ以上のプロセッサによって実行可能である命令と、
を備える、システム。
【請求項２０】
前記オンライン課金ノードが、オンライン課金サーバ（ＯＣＳ）を備える、請求項１９に記載のシステム。
【請求項２１】
前記送信すること、前記受け取ること、前記識別すること、および前記割り当ることが、課金実施ノードによって行われ、
前記オンライン課金ノードが、前記管理メッセージを前記課金実施ノードに提供するように構成される、請求項１９に記載のシステム。
【請求項２２】
前記課金実施ノードが、パケットゲートウェイ（ＰＧＷ）を備える、請求項２１に記載のシステム。
【請求項２３】
前記課金実施ノードが、ゲートウェイＧＰＲＳサポートノード（ＧＧＳＮ）を備える、請求項２１に記載のシステム。
【請求項２４】
前記オンライン課金ノードが非応答であることを識別することが、前記オンライン課金ノードからのハートビートの欠如を検出することを含む、請求項１９に記載のシステム。
【請求項２５】
前記オンライン課金ノードが非応答であることを識別することが、管理メッセージが所定の時間内に受け取られなかったことを識別することによって前記オンライン課金ノードのタイムアウトを識別することを含む、請求項１９に記載のシステム。
【請求項２６】
前記デフォルトクォータを前記加入者に対する前記セッションに割り当てることを更に含む、請求項１９に記載のシステム。
【請求項２７】
前記デフォルトクォータを少なくとも１つの追加のセッションに割り当てることを更に含む、請求項２６に記載のシステム。